(57)【特許請求の範囲】
【請求項１】
液透過性の表面シートと、液不透過性の裏面シートと、前記表面シートと前記裏面シートとの間に配置される吸収体とを有し、下着のクロッチに付着する体液を吸収するパンティライナーであって、
前記吸収体は、前記吸収性物品の長手方向における中心より前方に位置する前方領域と、前記長手方向における中心より後方に位置する後方領域と、を備え、
前記吸収体は、第１吸収体と、前記第１吸収体に重ねて設けられた第２吸収体と、を有し、
前記第２吸収体は、前記第１吸収体に重複する領域と、前記第１吸収体よりも後方の領域とに配置されており、
前記第１吸収体は、前記前方領域と前記後方領域とに跨って配置されており、かつ前記前方領域に偏って設けられていることを特徴とするパンティライナー。
【請求項２】
前記前方領域の前記吸収体を構成する吸収材の秤量は、前記後方領域の前記吸収体を構成する吸収材の秤量よりも多いことを特徴とする、請求項１に記載のパンティライナー。
【請求項３】
前記第１吸収体は、所定の秤量の吸収材から構成されており、前記第２吸収体は、前記第１吸収体よりも秤量が少ない吸収材から構成されている、請求項１又は請求項２に記載のパンティライナー。
【請求項４】
前記第１吸収体の前端部は、前記長手方向において、前記吸収性物品の前端から前記吸収性物品の全長の１／１０よりも後方であって、かつ前記吸収性物品の前端から前記吸収性物品の全長の１／４よりも前方であり、
前記第１吸収体の後端部は、前記長手方向において、前記吸収性物品の中心よりも後方であって、かつ前記吸収性物品の後端から前記吸収性物品の全長の１／４よりも前方である、請求項３に記載のパンティライナー。
【請求項５】
前記第１吸収体は、前記幅方向において、前記吸収性物品の側端部から前記吸収性物品の全幅の１／４よりも外側に設けられている、請求項３又は請求項４に記載のパンティライナー。
【請求項６】
前記前方領域における前記吸収体の剛性は、前記後方領域における前記吸収体の剛性よりも高い、請求項１から請求項５のいずれかに記載のパンティライナー。
【請求項７】
前記表面シート側の面には、前記表面シート及び前記吸収体が前記裏面シートへ向かう厚さ方向に圧搾された圧搾部が形成されており、
前記圧搾部は、前記後方領域よりも前記前方領域に多く形成されている、請求項１から請求項６のいずれかに記載のパンティライナー。
【請求項８】
前記表面シート及び前記吸収体の少なくともいずれか一方の前方領域には、前記吸収性物品の前後方向の位置関係を示す位置表示部が設けられている、請求項１から請求項７のいずれかに記載のパンティライナー。
【請求項９】
前記後方領域の前記長手方向と直交する幅方向における長さは、前記前方領域の幅方向における長さよりも長く、
前記後方領域の前記幅方向の側端部には、前記長手方向外側に向かって前記幅方向における長さが徐々に長くなる曲線部が設けられている、請求項１から請求項８のいずれかに記載のパンティライナー。
【発明の詳細な説明】
【技術分野】
【０００１】
本発明は、吸収性物品に関し、特におりもの等の体液を吸収するパンティライナーに関する。
【背景技術】
【０００２】
パンティライナーは、液不透過性の裏面シートと、表面シートと裏面シートとの間に配置される吸収体とを有する小型の吸収性物品である。パンティライナーは、吸収体によっておりもの等の体液を吸収する。吸収体は、パンティライナーの平面視においてパンティライナーの略中央に配置されている（例えば、特許文献１参照）。
【先行技術文献】
【特許文献】
【０００３】
【特許文献１】特許３９９３４５２号公報
【発明の概要】
【発明が解決しようとする課題】
【０００４】
ところで、着用者は、パンティライナーを使用する際に、膣口が当接する下着のクロッチにパンティライナーを装着する。パンティライナーは、ウイング部やヒップフラップ部を備えていないものが多く、着用者によって下着に装着する位置の目安が異なる。
【０００５】
本出願人が使用後のパンティライナーを調べた所、パンティライナーの中心領域に体液が付着されてなく、中心領域から前後方向にずれた領域に体液が付着されたパンティライナーがあることがわかった。したがって、装着時に、パンティライナー中心領域と着用者の膣口とがずれていることが考えられる。パンティライナー中心領域と着用者の膣口とがずれていると、吸収体が膣口からの体液を十分に吸収できずに、体液漏れのおそれがある。
【０００６】
本発明は、上述の課題に鑑みてなされたものであり、体液漏れを防止することができる吸収性物品を提供することを目的とする。
【課題を解決するための手段】
【０００７】
本出願人が調査したところによれば、多くの着用者は、下着のクロッチの前端にパンティライナー等の吸収性物品の前端を合わせるように位置決めして、吸収性物品を配置する。一般的に吸収性物品の長手方向の長さは、下着のクロッチの前後方向における略同じことが多い。したがって、下着のクロッチの前端に吸収性物品の前端を合わせることにより、クロッチ全体を吸収性物品によって覆うことができる。
【０００８】
しかし、下着のクロッチは、着用者の尿やおりもの等体液や便等の排泄物が付着し易い部分に設けられている。すなわち、クロッチは、着用者の膣口から肛門までの領域と当接するように設けられている。したがって、膣口は、クロッチの中心に当接せずに、クロッチの中心より前方に当接する。よって、クロッチ全体を覆うように吸収性物品を装着すると、吸収性物品の中心より前方に膣口が当接する。
【０００９】
本発明に係る吸収性物品は、このような知見に基づいてなされたものであり、液透過性の表面シートと、液不透過性の裏面シートと、前記表面シートと前記裏面シートとの間に配置される吸収体とを有し、下着のクロッチに付着する体液を吸収する小型の吸収性物品であって、前記吸収体は、前記吸収性物品の長手方向における中心より前方に位置する前方領域と、前記長手方向における中心より後方に位置する後方領域と、を備え、前記吸収体は、前記前方領域に偏って設けられていることを特徴とする。
【発明の効果】
【００１０】
本発明に係る吸収性物品によれば、吸収性物品の吸収体が前方領域に偏って設けられているため、膣口が当接し易い吸収性物品の中心よりも前方における吸収性能を高めることができる。よって、吸収体の中心領域と膣口とのずれが少なくなり、膣口からの体液を効率よく吸収し、かつ吸収体の吸収性能を十分に発揮し、体液漏れを防止することができる。
【図面の簡単な説明】
【００１１】
【図１】本発明の第１の実施形態に係る吸収性物品の肌当接面側から見た平面図である。
【図２】図２のＡ−Ａ線に沿った吸収性物品の断面図である。
【図３】図１に示す吸収性物品が装着された下着の斜視図である。
【図４】下着に装着された状態の吸収性物品の平面図である。
【図５】着用者が図３に示す下着を装着した様子を下から見た状態を示す図である。
【図６】本発明の第２の実施形態に係る吸収性物品の肌当接面側から見た平面図である。
【図７】本発明の第３の実施形態に係る吸収性物品の肌当接面側から見た平面図である。
【図８】パンティライナーの汚れの付着状態の調査結果を示す図である。
【発明を実施するための形態】
【００１２】
（第１の実施形態）
図１及び図２を参照して、本発明の第１の実施形態に係る吸収性物品１について説明する。図１は、吸収性物品１の肌当接面側からみた平面図であり、図２は、図１に示すＡ−Ａ断面図である。本実施形態に係る吸収性物品１は、例えば、パンティライナー、生理用ナプキンである。
【００１３】
パンティライナーは、いわゆるおりもの吸収シートである。パンティライナーは、女性が下着のクロッチの内面に固着させて下着と一体化したものとして使用する薄型の吸収性物品であり、女性が排泄するおりものなどを吸収することを目的としているものである。パンティライナーは、厚みが３ｍｍ以下であって、長手方向の長さが１４０ｍｍ〜１８０ｍｍの吸収性物品である。
【００１４】
生理用ナプキンは、着用者の経血を吸収する吸収性物品である。生理用ナプキンは、生理時の経血量に応じた吸収性能を有する複数の種類が提供されている。例えば、経血の量が少ない比較的軽い日用は、厚みが薄く、かつ長さが短く小型である。本発明に係る吸収性物品は、このような比較的小型の生理用ナプキンを含む。比較的小型の生理用ナプキンは、例えば、厚さが５ｍｍ以下であって、長手方向の長さが１９０ｍｍ以下の吸収性物品である。
【００１５】
なお、吸収性物品の厚さは、熊谷理機工業製の厚さ測定機器（ＴＭ６００−Ｌ）によって測定した。吸収性物品の長手方向及び幅方向における略中心を測定子によって押圧し、その際の厚みを計測した。測定子の直径は５０ｍｍであり、加圧荷重は、５０ｇｆであり、測定子の下降速度は、７．５ｍｍ／秒とした。
【００１６】
吸収性物品１は、着用者の肌に当接する表面シート２と、液体を透過しない液不透過性の裏面シート３と、吸収体４とを有する。吸収体４は、表面シート２と裏面シート３との間に配設される。従って、吸収体４は、図１において破線で示される。吸収性物品１の長手方向Ｌにおける中心を通り、かつ吸収性物品１の幅方向に沿った長手中心線ＣＷよりも前方（図示する上方）は、前方領域である。また、吸収性物品の長手中心線ＣＷよりも後方は、後方領域である。また、図１に、前方領域の長手方向Ｌにおける中心を通り、かつ吸収性物品１の幅方向に沿った前方中心線Ｗ１と、後方領域の長手方向Ｌにおける中心を通り、かつ吸収性物品１の幅方向に沿った後方中心線Ｗ２とを示す。
【００１７】
表面シート２は、体液等の液体を透過する液透過性のシートである。表面シート２は、少なくとも吸収体４の表面を覆う。表面シート２は、不織布、織布、有孔プラスチックシート、メッシュシート等、液体を透過する構造のシート状の材料であれば、特に限定されない。織布や不織布の素材としては、天然繊維、化学繊維のいずれも使用できる。より具体的には、ポリエチレン（PE）・ポリエチレンテレフタレート(PET)からなる芯鞘繊維（繊度２．２〜３．３ｄｔｅｘ）からなるエアスルー不織布を使用できる。なお、表面シート２の目付は、20〜40g/ｍ2の範囲であることが望ましい。
【００１８】
裏面シート３は、ポリエチレン、ポリプロピレン、ポリエステル等を主体としたフィルム、通気性の樹脂フィルム、スパンボンド、又はスパンレース等の不織布に通気性の樹脂フィルムが接合されたシートや、ＳＭＳ不織布などの耐水性のシート等を用いることができる。裏面シート３は、着用時の違和感を生じさせない程度の柔軟性を有する材料とすることが好ましい。なお、裏面シート３の目付は、20〜50g/ｍ2の範囲であることが望ましい。
【００１９】
吸収体４は、表面シート２側に配置された第１吸収体４１と、裏面シート３側に配置された第２吸収体４２と、を有する。第２吸収体４２は、表面シート２に対応する領域の略全体に配置されている。一方、第１吸収体４１は、第２吸収体４２よりも長手方向Ｌ及び幅方向Ｗにおいて小さい長方形であり、前方領域に偏って配置されている。すなわち、第１吸収体４１は、前方領域と後方領域とに跨って配置されているが、前方領域における第１吸収体４１の面積は、後方領域における第１吸収体４１の面積よりも広い。なお、第１吸収体４１の形状は、長方形に限られず、楕円形、円形、台形であってもよい。
【００２０】
第１吸収体４１の長手方向の中心を通り、かつ幅方向に沿った吸収中心線４１ＣＷは、吸収性物品１の長手中心線ＣＷよりも前方であって、かつ吸収性物品１の前方中心線よりも後方に位置する。
【００２１】
第１吸収体４１の後端４１Ｂは、吸収性物品１の後方中心線Ｗ２よりも前方であって、かつ吸収性物品の長手中心線ＣＷよりも後方に位置する。なお、第１吸収体４１の後端４１Ｂは、吸収性物品１の後方中心線Ｗ２よりも後方に位置してもよいし、吸収性物品の長手中心線ＣＷ近傍に位置してもよい。
【００２２】
吸収体４は、親水性繊維、パルプを含む吸収材によって構成されている。吸収材は、親水性繊維又は粉体をエアレイド法によって積層して形成されてもよいし、親水性繊維又は粉体をエアレイド法によってシート状に成形したエアレイドシートでもよい。より具体的には、例えば、第１吸収体４１を構成する吸収材は、パルプ繊維50〜90％、PE/PET芯鞘繊維0〜30％、ラテックス樹脂10〜25％、目付け35〜80g/ｍ2のエアレイドパルプを用いることができる。
【００２３】
第１吸収体４１は、前方領域側に偏って配置されており、前方領域の吸収体４を構成する吸収材の秤量は、後方領域を構成する吸収剤の秤量よりも多い。したがって、膣口が当接し易い吸収性物品の中心よりも前方における吸収性能を高めることができる。よって、膣口からの体液を効率よく吸収し、体液漏れを防止することができる。膣口からの体液を効率よく吸収し、体液漏れを防止することができる。また、第１吸収体よりも後方の領域においては、第２吸収体４２が配置されており、第２吸収体４２によって体液を吸収できる。
【００２４】
また、着用者によっては、臀部近傍における吸収性物品１の存在感を感じ易い傾向があり、特に吸収性物品１の剛性が高い場合や吸収性物品１の厚みが厚い場合には、使用感の悪化につながることが考えられる。しかし、第１吸収体４１よりも後方の領域は、第２吸収体２のみが配置されており、第１吸収体４１が配置された領域よりも薄く、かつ剛性が低い。
【００２５】
例えば、臀部近傍における吸収性物品の厚みが厚かったり、剛性が高かったりすると、吸収性物品が臀部に沿ってカーブせず、吸収性物品のフィット感が低減するおそれがある。しかし、第１吸収体４１よりも後方の領域は、第１吸収体４１が配置された領域よりも薄く、かつ剛性が低いため、ショーツの着圧によって吸収性物品がショーツとともに臀部に沿ってカーブし易くなり、臀部に対するフィット性を高めることができる。
【００２６】
体液が付着し易い排泄口当接領域２０近傍に第１吸収体を配置し、第１吸収体が配置されていない部分に第２吸収体のみを配置するため、吸収性能を確保しても、吸収性物品全体に亘って厚みが厚くなることを防ぐことができる。よって、吸収性能を確保しつつ、吸収性物品の柔軟性を確保して装着感を向上させることができる。
【００２７】
更に、第１吸収体４１を構成する吸収剤の秤量は、第２吸収体４２を構成する吸収剤の秤量よりも多くなるように構成してもよい。具体的な構成としては、例えば、第１吸収体４１の厚さが第２吸収体４２の厚さより厚い構成や、第１吸収体４１を構成する吸収材の密度が第２吸収体４２を構成する吸収材の密度より高い構成を挙げることができる。
【００２８】
本実施の形態に係る吸収性物品１の長手方向Ｌの長さは、１４０ｍｍである。このような吸収性物品においては、第１吸収体４１の長手方向の長さは、６０ｍｍ〜１００ｍｍの範囲が望ましい。例えば、膣口からの体液を効率よく吸収するためには、第１吸収体４１が膣口に対応する位置に設けられていることが望ましく、長手方向の長さは少なくとも６０ｍｍ以上が望ましい。また、第１吸収体４１を前方領域に偏らせて設けるため、長手方向の長さは１００ｍｍ以下であることが望ましい。
【００２９】
また、第１吸収体４１が配置された領域は、第１吸収体４１と第２吸収体４２とが重なっているため、第１吸収体４１が配置されていない領域（第２吸収体のみ配置された領域）よりも剛性が高い。具体的には、第１吸収体４１が配置された領域の幅方向剛性は、1.5〜3mNであり、第１吸収体４１が配置されていない部分の幅方向の剛性は、0.5〜1.5mNの範囲内にある。
【００３０】
吸収性物品１では、表面シート２及び裏面シート３の周縁が接合されて、吸収体４が内封される。表面シート２と裏面シート３との接合方法としては、ヒートエンボス加工、超音波、又はホットメルト型接着剤のいずれか一つ、又は複数を組み合わせることが可能である。
【００３１】
表面シート２には、複数の圧搾溝（圧搾部）６が設けられている。圧搾溝６は、図１に示すように、表面シート２を厚さ方向に圧搾して構成されている。なお、本実施形態では、圧搾溝６は、エンボス加工によって圧搾加工される。
【００３２】
裏面シート３において、ショーツと接触する表面（非肌等接面１０Ｂ）には、裏面シート３の長手方向に沿って、粘着材７がライン状に塗布される（図４参照）。粘着材７は、裏面シート３の長手方向Ｌに沿って複数ライン状に塗布される。使用前の状態では、粘着材７には粘着性を保持するための保護シート（図示せず）が接着されている。
【００３３】
次いで、このように構成された吸収性物品１の使用態様について説明する。図３は、図１に示す吸収性物品１を下着に装着した状態の斜視図である。図４は、下着に装着した吸収性物品１の平面図である。図５は、着用者が図３に示す下着を装着した様子を下から見た状態を示す図である。
【００３４】
吸収性物品１は、下着１００のクロッチ１０１に装着される。下着１００は、脚が挿入される足回り開口部１０２が形成されており、足回り開口部１０２に挟まれた股下領域と、備える。股下領域の肌当接面側には、クロッチ１０１が設けられている。吸収性物品１は、クロッチ１０１を覆うように装着されている。なお、本実施の形態では、吸収性物品１の長手方向の長さＬ２は、クロッチ１０１の長手方向の長さＬ１よりも短いが、クロッチの長さＬ１と同じ長さであってもよいし、クロッチの長さＬ１よりも短くてもよい。
【００３５】
排泄口当接領域２０は、吸収性物品１において着用者の膣口に当接する領域であり、着用時に着用者の両脚間に位置する。排泄口当接領域２０は、図３から図５において斜線にて示した部分である。クロッチ１０１の幅（幅方向Ｗにおける長さ）は、前後方向において変化している。クロッチ１０１の幅が最も短い部分は、着用者の両脚によって挟まれる位置である。
【００３６】
図５は、着用者が下着を装着した状態の模式図であり、着用者の脚２００と腱２０１とを模式的に示している。図５に示すように、クロッチ１０１の幅が最も短い部分は、着用者の両脚の半腱様筋や薄筋によって挟まれるため、内側に向かって圧力がかかり、吸収性物品のよれが発生する要因となる。しかし、クロッチ１０１の幅が最も短い部分は、吸収性物品の前方領域が配置されている。吸収性物品１の前方領域は、後方領域と比較して剛性高い。よって、吸収性物品１のよれが発生し難くなり、吸収体４を効率よく使用することができる。
【００３７】
また、排泄口当接領域は、股下領域の最も幅が短い部分に位置する。排泄口当接位置に対応して第１吸収体４１が配置されているため、第１吸収体４１によって体液を効率吸収することができ、かつ吸収体４の吸収性能を十分に発揮させて、体液漏れを防ぐことができる。
【００３８】
なお、吸収体４は、第１吸収体４１と第２吸収体４２とを備える構成のみならず、第１吸収体４１のみによって構成されていてもよいし、第２吸収体のみによって構成されていてもよい。例えば、第１吸収体４１のみによって吸収体４が構成される場合には、吸収体４全体が前方領域側に偏って配置されるため、吸収性物品の後端部の厚みや剛性を抑えることができ、吸収性物品がショーツの着圧によって臀部に沿ってカーブし易くなる。よって、吸収性物品が臀部に沿って配置され、フィット性を向上させることができる。
【００３９】
第２吸収体４２のみによって吸収体４を構成する場合には、第２吸収体４２を構成する吸収材の密度を前方領域と後方領域とによって異ならせることにより、前方領域の吸収体を構成する吸収材の秤量を、後方領域の吸収体を構成する吸収材の秤量よりも多く構成することができる。
【００４０】
また、吸収性物品１の表面シート２は、複数のシートが積層されて構成されてもよい。なお、吸収体４は、複数のシート間に配置されてもよいし、複数のシートよりも裏面シート側に配置されてもよい。
【００４１】
また、吸収性物品１の粘着材７を後方領域側に偏らせて配置してもよい。前方領域は、第１吸収体４１が配置されており、剛性が高いため、よれが発生し難い。一方、後方領域は、第１吸収体４１が配置される領域が少なく、剛性が低いため、よれが発生し易い傾向がある。しかし、粘着材７を後方領域に偏らせて配置することにより、後方領域をクロッチに密接させて、よれの発生を抑制することができる。
【００４２】
（第２の実施形態）
図６を参照して、本発明の第２の実施形態に係る吸収性物品１について説明する。なお、第２の実施形態の説明においては、第１の実施形態と異なる構成について説明し、同様の構成については同符号を用いて説明を省略する。図６は、第２の実施の形態に係る吸収性物品１Ａの肌等接面側１０Ａから見た平面図である。
【００４３】
吸収性物品１Ａの第１吸収体４１は、前方領域のみに配置されている。また、第１吸収体４１の前端４１Ａは、吸収性物品１の前端１１に一致している。このように構成された吸収性物品によっても、前方領域の吸収性能を高めることができ、体液漏れを防止することができる。
【００４４】
表面シート２の第１吸収体４１に対応する領域には、エンボス加工によって圧搾加工が施された圧搾溝８が設けられている。圧搾溝８は、表面シート２、第１吸収体４１、及び第２吸収体４２を厚さ方向に圧搾されている。なお、圧搾溝８は、表面シート２及び第１吸収体４１のみ圧搾されて形成されていてもよい。
【００４５】
表面シート２の第１吸収体４１に対応する位置に圧搾溝８を設けることにより、第１吸収体４１の位置を示すことができ、着用者に対して吸収性物品１の前後方向の位置関係を示すことができる。すなわち、圧搾溝８は、位置表示部の機能を備える。したがって、着用者は、装着時に前後関係を認識して、吸収性物品１を装着することができる。
【００４６】
また、吸収性物品１Ａの前方領域に複数の圧搾溝８を設けることにより、前方領域の剛性を高くすることができる。例えば、吸収性物品１Ａの前方領域が着用者の両脚の半腱様筋や薄筋によって挟まれた場合であっても、吸収性物品１Ａのよれを発生し難くすることができる。
【００４７】
なお、位置表示部は、吸収性物品１の前後方向の位置関係を示すものであればよく、他の構成であってもよい。例えば、位置表示部は、文字や記号によって構成されていてもよいし、第１吸収体４１を着色することによって構成されていてもよい。
【００４８】
具体的には、「前」という文字を表面シート２に印刷して、吸収性物品１の前後方向の位置関係を示してもよい。また、顔料等によって第１吸収体４１又は表面シートの第１吸収体に対応する領域を着色（青・緑）し、第１吸収体４１の位置を示すことによって、着用者に対して吸収性物品１の前後方向の位置関係を示すように構成してもよい。また、吸収性能が高い部分である第１吸収体４１の位置を示すことによって、吸収効果を感覚的に着用者に示すことができる。更に、第１吸収体４１を着色することにより、第１吸収体４１に吸収された体液の視認性を低下させ、使用後の不快感を低減することができる。
【００４９】
また、吸収性物品が包装シートによって個別に収容される場合には、包装シートに装着時の注意点を示すように構成してもよい。注意点とは、具体的には、吸収性物品が前後非対称であり、第１吸収体が偏って配置されている領域を前側にして装着すること等である。このように包装シートに装着時の注意点を示すことにより、吸収性物品の特徴を明確に伝え、適切な配置で装着するように促すことができる。
【００５０】
（第３の実施形態）
図７を参照して、本発明の第３の実施形態に係る吸収性物品１Ｂについて説明する。なお、第２の実施形態の説明においては、第１の実施形態と異なる構成について説明し、同様の構成については同符号を用いて説明を省略する。図７は、第２の実施の形態に係る吸収性物品１Ｂの肌等接面側から見た平面図である。
【００５１】
第３の実施の形態に係る吸収性物品１Ｂは、後方領域の幅方向の長さは、前方領域の幅方向の長さよりも長い。後方領域の幅方向の側端部には、長手方向外側に向かって幅方向における長さが徐々に長くなる曲線部１４が設けられている。すなわち、吸収性物品１は、下着と共に着用者の臀部に向かって、幅が広くなるように構成されている。
【実施例】
【００５２】
以下に、本発明の実施例を通して具体的に説明する。実施例として、吸収性物品としてのパンティライナーの使用後の汚れの付着部位を調べた。
【００５３】
（調査条件）
パンティライナーは、長手方向の長さが１４０ｍｍのものを用いた。幅方向の長さは、最も広い部分において５８ｍｍであり、最も狭い部分において５０ｍｍである。使用者数は、３９人であり、各使用者８枚ずつのパンティライナーを使用し、全サンプル数は、３１１であった。図８に示す複数の区画を設定し、汚れが付着している区画を調べた。全サンプル数に対する汚れが付着しているサンプル数の比率である汚れの付着比率を算出した。
【００５４】
図８は、調査結果を示しており、区画内の数値は、汚れの付着比率を示している。図８に示すように、最も汚れが付着している第１区画は、汚れ付着比率７５．６％であり、長手中心線ＣＷよりも前方に位置している。この調査結果からも、長手中心線ＣＷよりも前方に汚れが付着することがわかる。また、汚れは、最も汚れが付着している区画から前後方向に延びた第２区画に比較的多く付着している。具体的には、第２区画の前端部には、汚れ付着比率４６．０％の区画が位置しており、後端部には、汚れ付着比率４０．５％の区画が位置する。第２区画の前端は、吸収性物品の前方中心線Ｗ１よりも前方である。また、第２区画の後端は、後方中心線Ｗ２と長手中心線ＣＷとの間である。
【００５５】
また、吸収性物品の長手方向の両端部及び幅方向の両端部は、汚れが付着し難いことがわかった。具体的には、吸収性物品の前端から中央に向かって長手方向全体の１／１０までの領域は、最も汚れが付着した区画であっても、汚れ付着比率１３．８％であり、汚れが付着し難いことがわかる。また、吸収性物品の後端から中央に向かって長手方向全体の２／１０までの領域は、最も汚れが付着した区画であっても、汚れ付着比率５．１％であり、汚れが付着し難いことがわかる。
【００５６】
更に、幅方向における両側部から中央に向かって幅全体の１／４までの領域は、最も汚れが付着した領域であっても、汚れ付着比率が１４．５％であり、汚れが付着し難いことがわかる。
【００５７】
以上のことから、吸収体４（第１吸収体４１）は、少なくとも吸収体の中央部（長手方向の中央であって、幅方向における中央）よりも前方に位置する最も汚れが付着した第１区画を含み、かつこの区画から前後方向に延びる第２区画を覆うように設けられていればよい。上述した第２区画を覆うことによって、最も汚れが付着し易い一定領域を保護することができる。
【００５８】
また、更に好適には、吸収体４１は、第２区画を含み、かつ第２区画よりも幅方向外側に広がる第３区画を覆うように設けられる。第３区画の長手方向の長さは、第２区画と同じ長さである。第３区画の幅方向における長さは、吸収体４０の幅方向における中心線から幅方向外側に幅全体の１／４までの領域である。すなわち、吸収体の両側部から中央に向かって幅全体の１／４の領域よりも内側に位置する領域である。上述した第３区画を覆うことによって、約半数の着用者において汚れが付着する部分を保護することができる。
【００５９】
また、更に好適には、第３区画を含み、かつ第３区画よりも幅方向内側に広がる第４区画を覆うように設けられる。第４区画の前端は、吸収性物品の前端から中央に向かって長手方向全体の１／１０の位置となる。このように第４区画を設けることにより、１５％以上の着用者において汚れが付着する部分を保護することができる。
【００６０】
このように吸収体４１を必要な部分のみに設けることにより、吸収体４１によって吸収性能を確保しつつ、吸収体４１が配置されない部分の厚みや剛性を低くし、フィット性を向上させることができる。吸収体４１は、幅方向全域に亘って設けられていないため、吸収体４１が幅方向全域に亘って設けられている構成と比較して、吸収性物品の幅方向における両側端部の剛性を低くすることができる。すなわち、吸収性物品の幅方向における両側端部が柔らかくなる。吸収性物品の幅方向における両側端部は、着用者が脚を閉じた際に脚の付け根付近に当たる部分である。吸収性物品の幅方向における両側端部が柔らかいため、着用者は、脚を閉じた際に吸収性物品の硬さを感じ難くなり、良好な装着感を得ることができる。したがって、吸収体４１が必要な部分のみに設けられた吸収性物品によれば、装着感の向上と吸収性能の維持とを兼ね備えることができる。
【００６１】
特に、吸収体４０の外周縁近傍は、汚れが付着し難い部分であるため、フィット感等を高める観点から、吸収体４１を配置しない方が好ましい。吸収材４１の前端は、例えば、吸収性物品の前方中心線Ｗ１よりも前方であって、かつ吸収性物品の前端から吸収性物品の長手方向全長の１／１０よりも後方とすることができる。また、吸収体４（第１吸収体４１）の後端は、後方中心線Ｗ２と長手中心線ＣＷとの間とすることができる。また、吸収体４（第１吸収体４１）の幅方向における両側端は、幅方向における両側部から吸収性物品の全幅の１／４よりも外側とすることができる。
【００６２】
更にフィット性を高めるために、吸収体４（第１吸収体４１）を、第１区画が中心であって、長径が長手方向に延びる楕円形となるように設けることができる。このような構成によれば、排泄口近傍に位置する第１区画を中心とした一定領域に吸収体を配置でき、吸収体によってより効率よく体液を吸収することができる。
【００６３】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。例えば、本発明に係る吸収性物品は、ウイング部及びサイドフラップ部を備えていてもよい。
【符号の説明】
【００６４】
１…吸収性物品、  ２…表面シート、  ３…裏面シート、  ４…吸収体、  ６…圧搾溝、  ７…粘着材、  １０Ａ…肌当接面、  １０Ｂ…非肌当接面、  ４１…第１吸収体４１、  ４２…第２吸収体、  ＣＷ…長手中心線、  Ｗ１…前方中心線、  Ｗ２…後方中心線
【図１】
0005823700.tif 000002
【図２】
0005823700.tif 000003
【図３】
0005823700.tif 000004
【図４】
0005823700.tif 000005
【図５】
0005823700.tif 000006
【図６】
0005823700.tif 000007
【図７】
0005823700.tif 000008
【図８】
0005823700.tif 000009